(57)【要約】【課題】記録した番組の内容をユーザーに容易に知らせることができるようにすることを目的とする。【解決手段】テレビ放送を受信するためのチューナー１と、テレビ放送の番組情報を取得するためのＥＰＧ抽出部３と、前記チューナー１により受信したテレビ放送の信号をファイルとして記録読み出しするためのファイル制御部９と、このファイル制御部９からのファイルを記録するためのメモリカード１０とを備え、前記ファイル制御部９によって、前記メモリカード１０に記録されたファイルに対し、前記ＥＰＧ抽出部３によって取得した番組情報を付加して記録するように構成した。【選択図】図１
2006041777.tif 000002
【特許請求の範囲】
【請求項１】
テレビ放送を受信するためのテレビ放送受信手段と、テレビ放送の番組情報を取得するためのＥＰＧ取得手段と、前記テレビ放送受信手段により受信したテレビ放送の信号をファイルとして記録読み出しするためのファイル制御手段と、このファイル制御手段からのファイルを記録するためのメモリカードとを備え、前記ファイル制御手段によって、前記メモリカードに記録されたファイルに対し、前記ＥＰＧ取得手段によって取得した番組情報を付加して記録するように構成したテレビジョン受信装置。
【請求項２】
ファイル制御手段によってメモリカードに記録されたファイルのファイル名と、ＥＰＧ取得手段によって取得した番組情報を関連付けるファイル関連管理テーブルを生成するように構成した請求項１に記載のテレビジョン受信装置。
【発明の詳細な説明】
【技術分野】
【０００１】
本発明は、メモリカードスロットを具備したテレビジョン受信装置に関するものである。
【背景技術】
【０００２】
近年、テレビジョン受信装置は、放送のデジタル化に伴い、より高機能化が進んでいる。その一例として、具体的な特許文献はないが、テレビジョン受信装置に小型の不揮発性メモリカードを装着できるメモリカードスロットを具備し、放送された番組内容を、静止画や動画のファイルとしてメモリカードに記録し、また前記メモリカードから記録したファイルを再生することのできる製品が実用化されている。
【発明の開示】
【発明が解決しようとする課題】
【０００３】
しかし、このようなテレビジョン受信装置のファイル管理装置においては、メモリカードに記録された静止画や動画のファイル名は、ファイル管理装置が付与したアルファベットや数字で構成されたものであり、かつ記録した番組内容とは関係のない文字列で構成されているため、前記ファイル名からはどのような番組を記録したのか解らず、ユーザーにとっては不便であるという課題があった。
【０００４】
本発明はこのような課題を解決し、記録した番組の内容をユーザーに容易に知らせることができるようにすることを目的とするものである。
【課題を解決するための手段】
【０００５】
上記目的を達成するために本発明は、テレビ放送を受信するためのテレビ放送受信手段と、テレビ放送の番組情報を取得するためのＥＰＧ取得手段と、前記テレビ放送受信手段により受信したテレビ放送の信号をファイルとして記録読み出しするためのファイル制御手段と、このファイル制御手段からのファイルを記録するためのメモリカードとを備え、前記ファイル制御手段によって、前記メモリカードに記録されたファイルに対し、前記ＥＰＧ取得手段によって取得した番組情報を付加して記録するように構成したものである。
【０００６】
また、本発明においては、ファイル制御手段によってメモリカードに記録されたファイルのファイル名と、ＥＰＧ取得手段によって取得した番組情報を関連付けるファイル関連管理テーブルを生成するように構成したものである。
【発明の効果】
【０００７】
本発明によれば、記録されたファイルに付加された番組情報の内容、あるいは記録されたファイルのファイル名とＥＰＧ取得手段によって取得した番組情報を関連付けるファイル関連管理テーブルの内容のいずれかを利用することによって、どのような番組を記録したかを容易に知ることができ、ユーザーにとって使いやすい環境を提供することが可能となる。
【発明を実施するための最良の形態】
【０００８】
以下、本発明の一実施の形態によるテレビジョン受信装置について、図１〜図３の図面を用いて説明する。
【０００９】
図１は本発明の一実施の形態によるテレビジョン受信装置の構成を示している。図１において、１はテレビ放送を受信するためのテレビ放送受信手段としてのチューナー、２はチューナー１の出力信号を受けて映像・音声をデコードする映像・音声デコーダ部、３はチューナー１の出力から番組情報であるＥＰＧ（電子番組表）データを抽出するＥＰＧ取得手段としてのＥＰＧ抽出部、４はＥＰＧデータからＯＳＤ（オンスクリーン表示）データを生成するＯＳＤ生成部、５は前記映像・音声デコーダ部２からの映像信号とＯＳＤ生成部４からのＯＳＤデータを合成する映像合成部、６はこの映像合成部５からの映像信号を表示する表示部、７は前記映像・音声デコーダ部２からの音声信号を出力する音声出力部である。
【００１０】
８は前記映像・音声デコーダ部２からの映像・音声信号を静止画圧縮ファイル、あるいは動画圧縮ファイルにエンコードあるいはデコードする映像・音声データ制御部、９は映像・音声データ制御部８から出力された静止画圧縮ファイル、あるいは動画圧縮ファイルを記録読み出しするためのファイル制御手段としてのファイル制御部、１０はこのファイル制御部９から出力されたファイルデータを記録し、またファイル制御部９に対し読み出したファイルデータを出力するメモリカードである。
【００１１】
１１は前記ＥＰＧ抽出部３からのＥＰＧデータの内容をファイル制御部９に渡し、あるいはファイル制御部９から受け取ったＥＰＧデータをＯＳＤ生成部４に渡すＥＰＧデータ制御部で、このＥＰＧデータ制御部１１から出力されたＥＰＧデータは、ファイル制御部９において前記映像・音声データ制御部８から出力された静止画圧縮ファイル、動画圧縮ファイルのファイルデータに付加され、メモリカード１０に記録される。また、ファイル制御部９は、メモリカード１０から読み出したファイルデータから、静止画圧縮ファイル、あるいは動画圧縮ファイルとＥＰＧデータを分離して前記映像・音声データ制御部８及びＥＰＧデータ制御部１１に送り、映像・音声データ制御部８及びＥＰＧデータ制御部１１は、それぞれ映像合成部５、音声出力部７及びＯＳＤ生成部４に読み出したデータを出力することにより、メモリカード１０に記録されたファイルデータを再生することができる。
【００１２】
次に、このようなテレビジョン受信装置において、メモリカード１０にファイルを記録する場合の動作について説明する。チューナー１で受信したテレビ放送を映像・音声デコーダ部２でデコードし、映像・音声データ制御部８にて静止画圧縮ファイル、あるいは動画圧縮ファイルを生成する。一方、受信したテレビ放送のＥＰＧデータをＥＰＧデータ抽出部３で抽出し、ＥＰＧデータ制御部１１によりＥＰＧデータをファイル制御部９に入力する。
【００１３】
ファイル制御部９の動作について、図２を用いて説明する。図２は静止画圧縮ファイル、あるいは動画圧縮ファイルの構造を示している。静止画圧縮ファイル、あるいは動画圧縮ファイルのファイルデータ２０は、ファイルの付加情報を持つヘッダ部２１と、静止画圧縮データ部、あるいは動画圧縮データ部２２より構成される。本発明では、静止画圧縮ファイル、あるいは動画圧縮ファイルのファイルデータ２０のヘッダ部２１に対し、ＥＰＧデータ制御部１１から受け取ったＥＰＧデータを付加する。ＥＰＧデータが付加された静止画圧縮ファイル、あるいは動画圧縮ファイルのファイルデータ２０は、ファイル制御部９によりメモリカード１０に記録される。
【００１４】
次に、このようなテレビジョン受信装置において、メモリカード１０からファイルを読み出す場合の動作について説明する。メモリカード１０から読み出した静止画圧縮ファイル、あるいは動画圧縮ファイルのファイルデータは、ファイル制御部９において、ファイルデータ２０のヘッダ部２１よりＥＰＧデータを抽出し、ＥＰＧデータ制御部１１に入力する。ＥＰＧデータ制御部１１は、そのＥＰＧデータをＯＳＤ生成部４に入力する。ＯＳＤ生成部３は、入力されたＥＰＧデータよりＯＳＤデータを生成する。
【００１５】
一方、メモリカード１０から読み出した静止画圧縮ファイル、あるいは動画圧縮ファイルのファイルデータ２０は、ファイル制御部９により、静止画圧縮データ部、あるいは動画圧縮データ部２２が分離され、静止画圧縮データ部、あるいは動画圧縮データ部２２は、映像・音声データ制御部８に入力され、ここでデコードされて非圧縮の映像・音声信号となり、映像合成部５及び音声出力部７に入力される。映像合成部５においては、映像・音声データ制御部８からの映像信号と、ＯＳＤ生成部４からのＯＳＤデータを合成して表示する。
【００１６】
このように本発明によれば、メモリカード１０に記録されたファイルデータ２０に付加された番組情報の内容を利用することによって、どのような番組を記録したかを容易に知ることができ、ユーザーにとって使いやすい環境を提供することが可能となる。
【００１７】
次に、本発明の他の実施の形態において、ファイル制御部９によってメモリカード１０に記録されたファイルのファイル名と、ＥＰＧ抽出部３、ＥＰＧデータ制御部１１によるＥＰＧ取得手段によって取得した番組情報を関連付けるファイル関連管理テーブルを生成するように構成した場合の例を説明する。図３にメモリカード１０に記録されるファイル関連管理テーブルを示している。
【００１８】
すなわち、映像・音声データ制御部８にて生成した静止画圧縮ファイル、あるいは動画圧縮ファイルのファイルデータをメモリカード１０にファイルとして記録すると同時に、ファイル名を図３のファイル関連管理テーブル３０のファイル名テーブル３１に記録するものである。そして、このファイル名テーブル３１に記録したファイル名に相当するテレビ放送のＥＰＧデータを、ＥＰＧデータ抽出部３で抽出し、ＥＰＧデータ制御部１１によりＥＰＧデータをファイル制御部９に入力することにより、ファイル制御部９において、入力されたＥＰＧデータを、図３のファイル関連管理テーブル３０のファイル名テーブル３１に登録されたファイル名に相当するＥＰＧデータテーブル３２に記録する。これにより、ファイル名テーブル３１の各々のファイルに対応した、ＥＰＧデータテーブル３２の内容が記録されることになる。
【００１９】
一方、メモリカード１０からファイルを読み出す場合は、メモリカード１０から読み出した静止画圧縮ファイル、あるいは動画圧縮ファイル、及びファイル関連管理テーブル３０は、ファイル制御部９に入力され、ファイル制御部９は、メモリカード１０から読み出した静止画圧縮ファイル、あるいは動画圧縮ファイルのファイル名に対応するＥＰＧデータをファイル関連管理テーブル３０より取出し、ＥＰＧデータ制御部１１に入力する。ＥＰＧデータ制御部１１は、ＥＰＧデータをＯＳＤ生成部４に入力し、ＯＳＤ生成部４は、入力されたＥＰＧデータよりＯＳＤデータを生成し、これにより、読み出した静止画圧縮ファイル、あるいは動画圧縮ファイルのファイル名に相当するＥＰＧデータが生成される。そして、メモリカード１０から読み出した映像・音声データ制御部８からの映像信号と、ＯＳＤ生成部４からのＯＳＤデータが、映像合成部５において一画面上に合成することにより表示部に表示することができる。
【産業上の利用可能性】
【００２０】
以上の説明から明らかなように本発明によれば、記録した番組の内容をユーザーに容易に知らせることができるという有用な発明である。
【図面の簡単な説明】
【００２１】
【図１】本発明の一実施の形態によるテレビジョン受信装置の構成図
【図２】静止画圧縮ファイル、あるいは動画圧縮ファイルの構造の一例を示す説明図
【図３】ファイル関連管理テーブルの一例を示す説明図
【符号の説明】
【００２２】
１  チューナー
２  映像・音声デコーダ部
３  ＥＰＧ抽出部
４  ＯＳＤ生成部
５  映像合成部
６  表示部
７  音声出力部
８  映像・音声データ制御部
９  ファイル制御部
１０  メモリカード
１１  ＥＰＧデータ制御部
【図１】
2006041777.tif 000003
【図２】
2006041777.tif 000004
【図３】
2006041777.tif 000005